(57)【要約】【課題】  机等の支持脚において、上部アームの支持強度を向上させる。【解決手段】  上部アーム８の後部を、脚パネル９における前板部９１の上端に設けられた開口部９３及び両外側板部９２の間に嵌合するとともに、脚パネル９における両外側板部９２の上端に設けられた内向き係合片９４を、上部アーム８の後部上面８３ａに当接させ、また、上部アーム８に設けられ、その外面より外方へ突出する当接部１１ａを、開口部９３周縁に当接させた状態で固着する。  【選択図】図６
2006263057.tif 000002
【特許請求の範囲】
【請求項１】
前板部及び該前板部の左右両端から後方へ折曲された左右１対の外側板部を有する上下方向を向く脚パネルの上部に、天板の下面に固定され、少なくとも左右１対の内側板部を有する前後方向を向く上部アームの後部を固着してなる机等の支持脚において、
前記上部アームの後部を、前記脚パネルにおける前記前板部の上端に設けられた開口部及び前記両外側板部の間に嵌合するとともに、前記脚パネルにおける前記両外側板部の上端に設けられた内向き係合片を、前記上部アームの後部上面に当接させ、また、前記上部アームに設けられ、その外面より外方へ突出する当接部を、前記開口部周縁に当接させた状態で固着したことを特徴とする机等の支持脚。
【請求項２】
上部アームにおける脚パネルから前方へ突出する前部を、前後方向を向くアームカバーにより被覆するとともに、当接部を、前記アームカバーの後端としたことを特徴とする請求項１記載の机等の支持脚。
【請求項３】
脚パネルの内向き係合片を、後部が前部より低くなるように階段状に形成したことを特徴とする請求項１または２記載の机等の支持脚。
【発明の詳細な説明】
【技術分野】
【０００１】
本発明は、オフィス等で使用されるテーブル、机等の支持脚に関する。
【背景技術】
【０００２】
従来、オフィス等で使用されるテーブル、机等においては、左右に離間して配置された複数の柱状の支持脚により天板を支持したものや、側面視コ字型の支持脚により天板を支持したものがある。コ字型の支持脚は、下肢まわりの空間を広く確保するには極めて有効な形状であって、天板の下面に固定される上部アームと、上部アームの後部が固着される脚本体と、脚本体の下部に固着され、床面に接地される下部アームとにより形成され、上下のアームは脚本体に取付けネジにより螺着される（例えば特許文献１参照）。
また、上部アームと脚本体とを、板金の折曲加工により成形し、これらを互いに溶接により固着したものもある（例えば特許文献２参照）。
【特許文献１】特開平１０−３３１３０１号公報
【特許文献２】特開平７−３２７７４８号公報
【発明の開示】
【発明が解決しようとする課題】
【０００３】
しかし、上記特許文献１に記載されたものは、取付けネジによって、上部アームと脚本体とを互いに固着するため、取付けネジの締結作業が面倒であるとともに、経年変化による取付けネジの緩みによって、上部アーム、ひいては天板ががた付くおそれがある。
【０００４】
また、上記特許文献２に記載されたものにおいては、上部アームと脚本体とを互いに溶接により固着するため、経年変化によるがた付き発生は少ないが、上部アームの前部に下向き荷重が作用した際の上部アームの後部に作用する偶力を、溶接箇所のみで受け止める構成であるため、上部アームの支持強度を確保する溶接箇所が多くなり、溶接作業が面倒になる問題を有する。
【０００５】
本発明は、上記問題点に鑑みてなされたもので、簡単な構成により、上部アームの支持強度を向上させることができるようにした机等の支持脚を提供することを目的としている。
【課題を解決するための手段】
【０００６】
本発明によると、上記課題は、次のようにして解決される。
（１）前板部及び該前板部の左右両端から後方へ折曲された左右１対の外側板部を有する上下方向を向く脚パネルの上部に、天板の下面に固定され、少なくとも左右１対の内側板部を有する前後方向を向く上部アームの後部を固着してなる机等の支持脚において、前記上部アームの後部を、前記脚パネルにおける前記前板部の上端に設けられた開口部及び前記両外側板部の間に嵌合するとともに、前記脚パネルにおける前記両外側板部の上端に設けられた内向き係合片を、前記上部アームの後部上面に当接させ、また、前記上部アームに設けられ、その外面より外方へ突出する当接部を、前記開口部周縁に当接させた状態で固着する。
【０００７】
（２）上記(１)項において、上部アームにおける脚パネルから前方へ突出する前部を、前後方向を向くアームカバーにより被覆するとともに、当接部を、前記アームカバーの後端とする。
【０００８】
（３）上記(１)または(２)項において、脚パネルの内向き係合片を、後部が前部より低くなるように階段状に形成する。
【発明の効果】
【０００９】
（ａ）請求項１記載の発明によると、上部アームの後部を、脚パネルにおける前板部の上端に設けられた開口部及び両外側板部の間に嵌合するとともに、脚パネルにおける両外側板部の上端に設けられた内向き係合片を、上部アームの後部上面に当接させ、また、上部アームに設けられ、その外面より外方へ突出する当接部を、開口部周縁に当接させた状態で固着したことにより、上部アームの前部に下向き荷重が作用したときの上部アームの後部に作用する偶力を、内向き係合片が上部アームの後部上面に当接して受け止めることができ、上部アームの支持強度を向上させることができる。
【００１０】
（ｂ）請求項２記載の発明によると、上部アームをアームカバーにより被覆したことにより、上部アームの体裁及び強度の向上を図ることができ、また、開口部周縁がアームカバーの後端により隠蔽されて露出することがないでの、体裁を良くすることができる。
【００１１】
（ｃ）請求項３記載の発明によると、内向き係合片を階段状としたことにより、内向き係合片の曲げ強度を向上させ、上部アームの支持強度をより向上させることができる。
【発明を実施するための最良の形態】
【００１２】
以下、本発明の一実施形態を、添付図面を参照して説明する。
図１は、本発明に係わる支持脚を適用した机の斜視図、図２は、図１におけるII−II線に沿う縦断面図である。なお、以下の説明では、図１における左斜め上方、図２における左方を「前方」、図１における右斜め下方、図２における右方を「後方」とする。
【００１３】
図１に示すように、机(１)は、左右に離間して配置された３個の支持脚(２)を左右方向の連結杆(３)(３)で連結して構成されたベース体(４)の上側に、左右２枚の天板(５)(５)を載置して形成される。
【００１４】
支持脚(２)は、机(１)の左右端においてはパネル型支持脚(６)(６)、中央においては前向きコ字型支持脚(７)が用いられている。本発明に係わる支持脚(２)は、コ字型支持脚(７)に適用される。
【００１５】
コ字型支持脚(７)は、天板(５)の下面に固定され、前後方向を向く上部アーム(８)と、上部アーム(８)の後部が固着される上下方向を向く脚パネル(９)と、後部が脚パネル(９)の下部に固着され、床面に接地される前後方向を向く下部アーム(10)とを備えて形成される。
【００１６】
図３は、図２における矢示III部の拡大図、図４は、図３におけるIV矢視図、図５は、図３におけるＶ−Ｖ線に沿う縦断面図、図６は、要部の拡大分解斜視図、図７は、要部の組付け後の拡大斜視図である。
【００１７】
主に図６に示すように、脚パネル(９)は、板金の折曲加工により形成されるとともに、前板部(91)と、前板部(91)の左右両端から後方へ直角に折曲された左右１対の外側板部(92)(92)とを備えた後方が開口する横断面ほぼコ字型をなしている。
【００１８】
脚パネル(９)における外側板部(92)(92)の上端には、前板部(91)の上端(91a)より上方かつ後方に位置する左右１対の内向き係合片(94)(94)が折曲形成されている。
【００１９】
脚パネル(９)における前板部(91)の上端の上方には、前板部(91)の上端(91a)、両側板部(92)における上部の前縁(92a)、及び両内向き係合片(94)により囲まれる上方が開口する開口部(93)（図６参照）が形成されている。
【００２０】
内向き係合片(94)は、前半分の前部(94a)が後半分の後部(94b)より一段高くなるように階段状に形成されるとともに、後述のように、上部アーム(８)の後部上面をなす段差部(83a)に当接することにより、上部アーム(８)の支持強度を向上させる。また、内向き係合片(94)を階段状としたことにより、内向き係合片(94)の曲げ強度を高めることができる。
【００２１】
上部アーム(８)は、板金の折曲加工により形成されるとともに、天板(５)の下面に対向し、ネジ等により固定される平坦な上板部(81)と、上板部(81)の左右両端から下方へほぼ直角に折曲されて、左右方向に離間した左右１対の内側板部(82)とを備えた下方が開口する縦断面ほぼコ字型をなしている。
【００２２】
両内側板部(82)は、下部に外方へ突出する拡幅部(82b)を有する階段状に形成されている。これにより、上部アーム(８)の後部における左右方向の幅は、下部が上部より広くなるように形成されている。なお、拡幅部(82b)は、上部アーム(８)の前後方向の全長に亘って形成されている。
【００２３】
上部アーム(８)の後部における拡幅部(82b)の上部に形成される段差部(83a)は、後部上面を形成し、側面視において脚パネル(９)の内向き係合片(94)とほぼ同一形状をなしている。また、上部アーム(８)の後部における下部には、脚パネル(９)の外側板部(92)の内面に沿って下方へ延長された延長部(83b)が設けられている。
【００２４】
上部アーム(８)の後部における両内側板部(82)の下部、すなわち延長部(83b)を含む拡幅部(82b)により形成される嵌合部(83)は、脚パネル(９)の両外側板部(92)の間に嵌合され、また、同じく上部、すなわち拡幅部(82b)が形成されていない領域の狭幅部(82a)は、両内向き係合片(94a)の間に嵌合される。
【００２５】
図５に示すように、上部アーム(８)の後部における上部の幅寸法(a1)は、内向き係合片(94)同士の離間寸法(a2)に、また、同じく下部の幅寸法(b1)は、脚パネル(９)における開口部(93)の左右幅(b2)（図６参照）にそれぞれ対応する。なお、開口部(93)の左右幅(b2)は、脚パネル(９)における両側板部(92)の内面間の寸法と同一である。
【００２６】
上部アーム(８)における脚パネル(９)の上端から突出した部分の狭幅部(82a)には、連結杆(３)の端部を固定するためのボルト(12)が螺合される複数のねじ孔(82c)が螺設されている。
【００２７】
上部アーム(８)における脚パネル(９)から前方へ突出する前部には、板金の折曲加工により形成されるとともに、上部が開口した縦断面ほぼコ字型のアームカバー(11)が被覆されて固着される。これにより、上部アーム(８)にアームカバー(11)を固着した形態は、縦断面形状が閉断面形状となって上部アーム(８)の剛性が高められるとともに、体裁が良くなる。
【００２８】
次に、脚パネル(９)に対する上部アーム(８)の固着要領について説明する。先ず、上部アーム(８)の前部を、脚パネル(９)の後側から両側板部(92)を外側に撓ませながら切欠き開口(93)に挿入して前方へ突出させる。そして、上部アーム(８)の嵌合部(83)を、開口部(93)及び脚パネル(９)の両外側板部(92)の間、また狭幅部(82a)を内向き係合片(94)の間にそれぞれ嵌合するとともに、嵌合部(83)の段差部(83a)を脚パネル(９)の内向き係合片(94)の下面に、また、上部アーム(８)の底部(84)を開口部(93)の下縁、すなわち前板部(91)の上端(91a)に当接させ、この状態で、上部アーム(８)の延長部(83b)の外側面と脚パネル(９)の外側板部(92)同士をスポット溶接により固着する。
【００２９】
次いで、上部アーム(８)の前部にアームカバー(11)を被覆して固着し、上部アーム(８)の内側板部(82)の外面より側方へ突出する当接部をなすアームカバー(11)の後端(11a)を、開口部(93)の周縁（前板部(91)の上端(91a)、両側板部(92)における上部の前縁(92a)、内向き係合片(94)の前縁）に当接させた状態で、アームカバー(11)と上部アーム(８)との側面同士をスポット溶接により固着する。
【００３０】
上述のように、内向き係合片(94)を、上部アーム(８)の段差部(83a)に当接させたことにより、上部アーム(８)の前部に下向き荷重が作用したとき、脚パネル(９)における前板部の(91)の上端(91a)を支点とする上部アーム(８)の後部に作用する上向き偶力を、内向き係合片(94)が受け止めることができ、上部アーム(８)の支持強度を向上させ、天板(５)を強固に支持することができる。また、上部アーム(８)を被覆したアームカバー(11)の後端(11a)を、開口部(93)の周縁に当接した状態で脚パネル(９)に溶接等により固着したことにより、支持をより強固にすることができるとともに、開口部(93)の周縁を隠蔽して露出させることがないので、体裁を良くすることができる。
【００３１】
図８、９は、本発明の他の実施形態を示し、図８は、要部の分解斜視図、図９は、組付け後の要部の斜視図である。この実施形態における脚パネル(20)は、横断面ほぼ後ろ向きコ字型をなすとともに、その左右１対の両外側板部(21)の上端に平坦な内向き係合片(22)を有している。
【００３２】
脚パネル(20)の上部に固着される上部アーム(30)は、上方が開口する縦断面ほぼコ字型をなすとともに、その両側に形成される左右１対の両内側板部(31)の後部の上端には、脚パネル(20)の内向き係合片(22)の下面に当接可能な後部上面をなす内向きの折曲片(32)、また、両内側板部(31)の後部には、脚パネル(20)の両外側板部(21)の内面に沿って下方へ延長された延長部(33)がそれぞれ形成されている。
【００３３】
上部アーム(30)の延長部(33)を含む後部を、脚パネル(20)における前板部(23)の上部に形成される上方が開口する開口部(24)及び脚パネル(20)の両外側板部(21)の間に嵌合するとともに、上部アーム(32)の内向き折曲片(32)を脚パネル(20)の内向き係合片(22)の下面に当接させた状態で、上部アーム(30)の延長部(33)の外側面と脚パネル(20)の外側板部(21)同士をスポット溶接により固着する。次いで、板金の折曲加工により形成されるアームカバー(40)を、上部アーム(30)の脚パネル(20)から前方へ突出する前部に被覆するとともに、当接部をなすアームカバー(40)の後端(41)を脚パネル(20)の開口部(24)周縁に当接させた状態で、アームカバー(40)と上部アーム(30)との側面同士をスポット溶接により固着する。これにより、上部アーム(30)は、脚パネル(20)の上部に固着される。
【００３４】
この他の実施形態においても、前記実施形態と同様に、上部アーム(30)の前部に下向きの荷重が作用した際、上部アーム(30)の後部に作用する上向きの偶力を、溶接による固着部分と相俟って内向き係合片(22)が上部アーム(30)の内向き折曲片(32)に当接して受け止めることができるため、上部アーム(30)の支持強度を向上させることができ、天板(５)を強固に支持することができる。
【００３５】
以上、本発明の実施形態について説明したが、本発明の要旨を逸脱しない範囲内で、本実施形態に対して、次のような種々の変形や変更を施すことが可能である。
（ｉ）上部アーム(８)(30)における側面の一部を外方に突出させ、この突出させた部分を、脚パネル(９)(20)の開口部(24)(93)周縁に当接する当接部とする。
（ii）上部アーム(８)(30)を、前記実施形態以外の縦断面形状とする。
（iii）アームカバー(11)(31)を必要に応じて省略する。
【図面の簡単な説明】
【００３６】
【図１】本発明に係わる支持脚を適用した机の斜視図である。
【図２】図１におけるII−II線に沿う縦断面図である。
【図３】図２における矢示III部の拡大図である。
【図４】図３におけるIV矢視図である。
【図５】図３におけるＶ−Ｖ線に沿う縦断面図である。
【図６】要部の拡大分解斜視図である。
【図７】同じく組付け後の拡大斜視図である。
【図８】他の実施形態の要部の分解斜視図である。
【図９】同じく組付け後の斜視図である。
【符号の説明】
【００３７】
(１)机
(２)支持脚
(３)連結杆
(４)ベース体
(５)天板
(６)パネル型支持脚
(７)コ字型支持脚（支持脚）
(８)上部アーム
(９)脚パネル
(10)下部アーム
(11)アームカバー
(11a)後端（当接部）
(12)ボルト
(20)脚パネル
(21)外側板部
(21a)前縁
(22)内向き係合片
(23)前板部
(24)開口部
(30)上部アーム
(31)内側板部
(32)内向き折曲片（後部上面）
(33)延長部
(40)アームカバー
(41)後端（当接部）
(81)上板部
(82)内側板部
(82a)狭幅部
(82b)拡幅部
(82c)ねじ孔
(83)嵌合部
(83a)段差部（後部上面）
(83b)延長部
(84)底部
(91)前板部
(91a)上端
(92)外側板部
(92a)前縁
(93)開口部
(94)内向き係合片
(94a)前部
(94b)後部
【図１】
2006263057.tif 000003
【図２】
2006263057.tif 000004
【図３】
2006263057.tif 000005
【図４】
2006263057.tif 000006
【図５】
2006263057.tif 000007
【図６】
2006263057.tif 000008
【図７】
2006263057.tif 000009
【図８】
2006263057.tif 000010
【図９】
2006263057.tif 000011